(57)【要約】【課題】  ベビーカー本体に取り付けられた股ベルトを避けてクッション部材を装着出来るとともに、クッション部材をシートに対して座り心地を阻害することなく固定出来るようにしたベビーカーを得ること。【解決手段】  ベビーカー本体に装着されているベースシート４０或いはそのベースシート上に載置される着脱シート２０における座部に、股ベルト２１を避けるように形成された袋状のクッション部材収納ポッケット３０を設けた。【選択図】  図１
2007015595.tif 000002
【特許請求の範囲】
【請求項１】
ベビーカー本体に装着されているベースシート或いはそのベースシート上に載置される着脱シートにおける座部に、股ベルトを避けるように形成された袋状のクッション部材収納ポッケットを設けたことを特徴とする、クッション部材収納ポッケット付きベビーカー。
【請求項２】
クッション部材収納ポッケットは、ベビーカー本体から突設されている股ベルトを避けることができるように前縁側に向かって開口する切り欠きが設けられ、二股状に形成されたポケット生地を、そのポケット生地の左右両側縁部及び上記切り欠きにより形成された二股状部の先端縁においてベースシート或いはそのベースシート上に載置される着脱シートにおける座部の表面に縫着することにより形成されていることを特徴とする、請求項１記載のクッション部材収納ポッケット付きベビーカー。
【請求項３】
クッション部材収納ポッケット内に収納されるクッション部材には、股ベルト挿通部が形成されるとともに、その股ベルト挿通部から前縁まで延びる切り込みが形成されていることを特徴とする、請求項１または２記載のクッション部材収納ポッケット付きベビーカー。
【発明の詳細な説明】
【技術分野】
【０００１】
本発明は、ベビーカーに係り、特にそのシートにおける座部にクッション部材を着脱可能とするクッション部材収納ポケットを設けたベビーカーに関する。
【背景技術】
【０００２】
一般に、幼児を散歩や買い物等のために屋外に連れ出す場合に使用するベビーカーにおいては、移動中等における幼児の保護のために、ベビーカー本体から突設された帯状の縫製品からなるベルトにより幼児の股部、腰部を拘束する３点式の拘束方法、或いはさらに肩部をも拘束する５点式の拘束方法がとられている。
【０００３】
すなわち、図５は、上記５点式の幼児拘束用ハーネスが設けられた従来のベビーカーの概略構成を示す斜視図であって、ベビーカー本体１０は前輪１１を有する前脚１２、後輪１３を有する後脚１４、ほぼＵ字状に屈曲された手押し杆１５、左右１対のアームレスト１６、及び左右の前脚１２及び後脚１４をそれぞれ連結するステー１７、１８によって構成されている。
【０００４】
上記ベビーカー本体１０には、座板部及び背当て部を有するベースシートが装着されており、そのベースシートにベビーシート２０を着脱可能に装着し、上記ベビーシート２０上に幼児を座らせまたは寝かせて、ベビーカーを走行移動させることができる。
【０００５】
ところで、上記ベビーシート２０の座板部から、ベビーカー本体に固設された帯状の縫製品からなる股ベルト２１が突出されており、その股ベルト２１の先端部に５点方式の係止バックル２２が装着されている。また、上記座板部の両側からは、同様にベビーカー本体に固設された帯状の縫製品からなる左右の腰ベルト２３がそれぞれ突出されており、その先端に設けられたバックル２４が上記係止バックル２２に係合可能としてある。一方、背当て部の両側部からは、同様にベビーカー本体に固設された帯状の縫製品からなる左右の肩ベルト２５がそれぞれ突出されており、その先端部が上記係止バックル２２に連結されている。
【０００６】
しかして、このようなベビーカーに幼児を乗せて移動する場合には、幼児の両足の間に股ベルト２１が位置するように幼児をベビーシート２０の座板部上に乗せ、左右の腰ベルト２３の先端部に設けられたバックル２４を、股ベルト２１の先端部に装着されている５点方式の係止バックル２２に係合させて、幼児の腰部を拘束する。そして、背当て部の両側部に設けられ、先端部が係止バックル２２に取り付けられている左右の肩ベルト２５を幼児の肩に掛け、幼児がみだりにベビーシート２０上に立ち上がることがないように肩部の拘束を行い、ベビーカーの移動を行う。
【発明の開示】
【発明が解決しようとする課題】
【０００７】
一方、ベースシート或いはそのベースシート上に載置される着脱シート上にさらにクッション部材を装着することによりクッション性能を向上させ、上記ベビーカーに乗っている乳幼児をその振動等から保護することも行われている。ところが、従来のベビーカーにクッション部材を取り付けようとすると、シート上にクッション部材を乗せることになるが、前述のようにシートの座部からは股ベルトが突出されているために、その股ベルトが邪魔になって、座布団のようなクッション部材をそのまま載せることが出来ない。そこで、上記座布団のようなクッション部材に股ベルトを避けるように通し穴をあけて、その通し穴に股ベルトを通すことが考えられるが、股ベルトに付随している係止バックル２２を通すために上記穴は大きめに作らなければならず、そのためクッション部材を取り付けても股ベルトと通し穴との遊びが多く、上記クッション部材がずれ易い等の問題がある。
【０００８】
また、上記クッション部材とシートを固定するためにホック等をそれぞれに取り付けた場合には、上記クッション部材を外してシートを使用する時に上記ホック等が表面に出ているため、座り心地が良くない等の問題がある。さらに、シートの上ではなくシートの裏にクッション部材を取り付けようとしても、同様に股ベルトが邪魔になり、座布団のようなクッション部材を取り付けることが出来ず、かつクッション部材に穴をあけた場合には、股ベルトを通しているシートを取り外してからクッション部材を装着することになるので、手間がかかる。
【０００９】
本発明は、このような点に鑑み、股ベルトを避けてクッション部材を装着出来るとともに、クッション部材をシートに対して座り心地を阻害することなく固定出来るようにしたベビーカーを得ることを目的とする。
【課題を解決するための手段】
【００１０】
請求項１に係る発明は、ベビーカー本体に装着されているベースシート或いはそのベースシート上に載置される着脱シートにおける座部に、股ベルトを避けるように形成された袋状のクッション部材収納ポッケットを設けたことを特徴とする。
【００１１】
請求項２に係る発明は、請求項１に係る発明において、クッション部材収納ポッケットは、ベビーカー本体から突設されている股ベルトを避けることができるように前縁側に向かって開口する切り欠きが設けられ二股状に形成されたポケット生地を、そのポケット生地の左右両側縁部及び上記切り欠きにより形成された二股状部の先端縁においてベースシート或いはそのベースシート上に載置される着脱シートにおける座部の表面に縫着することにより形成されていることを特徴とする。
【００１２】
請求項３に係る発明は、請求項１または２に係る発明において、クッション部材収納ポッケット内に収納されるクッション部材には、股ベルト挿通部が形成されるとともに、その股ベルト挿通部から前縁まで延びる切り込みが形成されていることを特徴とする。  
【発明の効果】
【００１３】
本発明は、上述のように、ベビーカー本体に装着されているベースシート或いはそのベースシート上に載置される着脱シートにおける座部に、股ベルトを避けるように形成された袋状のクッション部材収納ポッケットを設けたので、必要に応じてそのクッション部材収納ポッケット内にクッション部材を収納することができ、シート表面に座り心地を阻害することなくクッション部材をベースシート或いはそのベースシート上に載置される着脱シートに固定することができる。
【発明を実施するための最良の形態】
【００１４】
以下、添付図面を参照して本発明の実施の形態を説明する。
【００１５】
図１は、本発明に係るベビーカーのほぼ正面側から見た図であって、ベビーカー本体に載置装着されている着脱シート２０の座部２０ａの表面には、クッション部材収納ポケット３０が形成されている。すなわち、図２は上記クッション部材収納ポケット３０を形成するためのポケット生地３１の平面図であって、そのポケット生地３１には、前記着脱シート２０の座部２０ａの表面から突設されている股ベルトを避けることができるように前縁側に向かって開口する切り欠き３２が設けられ、その切り欠き３２により二股状に形成されている。そして、上記ポケット生地３１の左右両側縁部３１ａ、３１ａ及び上記切り欠きにより形成された二股状部の先端縁３１ｂ、３１ｂ、並びに上記切り欠き３２の後端近傍部３１ｃにおいてベースシート上に載置された着脱シート２０における座部２０ａの表面に縫着されている。
【００１６】
一方、図３は、上記クッション部材収納ポケット３０内に収納するクッション部材３５の平面図であり、そのクッション部材３５の内部には低反発ウレタン等の衝撃吸収材が封入され、クッション性能を有する座布団状に形成されている。上記クッション部材３５には前記股ベルト２１が挿通可能とされた左右方向に延びる股ベルト挿通部３６が形成されており、その股ベルト挿通部３６から前縁３５ａまで前方向に延びる切り込み３７が形成されている。
【００１７】
しかして、上記クッション部材３５をクッション部材収納ポケット３０内に収納することにより、前記座部のクッション性能を向上させることができる。すなわち、上記クッション部材収納ポケット３０の後方開口縁部から上記クッション部材３５をクッション部材収納ポケット３０内に挿入し、前方向に延びる切り込み３７を介して股ベルト挿通部３６を股ベルト２１に係合させるとともに、クッション部材３５の両側縁３１ａ及び先端部３１ｂをクッション部材収納ポケット３０内において前記着脱シート２０との縫着部に係合させることにより、上記クッション部材３５の位置を固定することができる。その場合、クッション部材収納ポケット３０の切り欠き３２の互いに対向する縁部は着脱シート２０に逢着されていないので、そのクッション部材収納ポケット３０の切り欠き３２の縁部と着脱シート２０との間から手をクッション部材収納ポケット３０内に挿入して、クッション部材３５の隅角部等をクッション部材収納ポケット３０の隅角部内等に容易に押し込むことができ、クッション部材３５の位置決めを容易に行うことができる。
【００１８】
このように、クッション部材３５は股ベルト２１を避けてかつ着脱シート２０から股ベルト２１を取り外すことなく着脱シート２０の座部に取り付けることができる。
【００１９】
ところで、上記実施の形態においては、着脱シート２０の座部の表面にクッション部材収納ポケット３０を形成したものを示したが、図４に示すように、ベビーカー本体に装着されたベースシート４０の座部の表面、すなわち着脱シート２０の裏面側にクッション部材収納ポケット３０を形成し、そのクッション部材収納ポケット３０内にクッション部材３５を収納するようにすることもできる。
【図面の簡単な説明】
【００２０】
【図１】本発明に係るベビーカーのほぼ正面側から見た図。
【図２】ポケット生地の平面図。
【図３】クッション部材の平面図。
【図４】ベースシートの座部の表面にクッション部材収納ポケットを形成した状態を示す図。
【図５】一般的なベビーカーを示す図。
【符号の説明】
【００２１】
１１  前輪
１３  後輪
２０  着脱シート
３０  クッション部材収納ポケット
３１  ポケット生地
３２  切り欠き
３５  クッション部材
３６  股ベルト挿通部
３７  切り込み  
４０  ベースシート
【図１】
2007015595.tif 000003
【図２】
2007015595.tif 000004
【図３】
2007015595.tif 000005
【図４】
2007015595.tif 000006
【図５】
2007015595.tif 000007